(57)【特許請求の範囲】
【請求項１】
中空矩形板状に形成された棚板本体と、この棚板本体の上面後端縁部にこの上面後端縁部の全長に亙って形成された立ち上がり部とを備え、収納家具に設置される棚板であって、
前記立ち上がり部は、前記棚板本体の上面後端縁部から後方に張り出す張り出し部と、
この張り出し部の先端から前記棚板本体の上面と直交する方向に延出する延出部とを備えており、
前記立ち上がり部の高さは、前記棚板本体の厚さとほぼ等しくされており、
前記延出部は前記棚板本体の後端面から延出部の厚さだけ後方に位置していることを特徴とする棚板。
【請求項２】
請求項１記載の棚板において、
前記棚板本体の下面の先端縁部と後端縁部とには、前記収納家具の側板に設けられて、棚板本体を支持する支持部が挿入される溝部がそれぞれ棚板本体の幅方向に沿って形成されていることを特徴とする棚板。
【請求項３】
請求項２記載の棚板において、
前記溝部には、前記棚板本体の下方に設けられる収納部を係止する係止部が形成されていることを特徴とする棚板。
【請求項４】
請求項３記載の棚板において、
前記収納部は、物が収納される収納本体と、この収納本体を前記棚板本体の前後方向に移動可能に案内する案内部とを備え、
前記係止部は、前記案内部を係止することを特徴とする棚板。
【請求項５】
請求項１〜４のいずれかに記載の棚板を上下に積み重ねてなる棚板の積み重ね構造であって、
上下の棚板は、それぞれの棚板の上面を上方に向けて積み重ねられ、
下方の棚板の立ち上がり部の延出部が、上方の棚板の後端面または先端面に当接されていることを特徴とする棚板の積み重ね構造。
【請求項６】
請求項１〜４のいずれかに記載の棚板を上下に積み重ねてなる棚板の積み重ね構造であって、
上下の棚板は、それぞれの棚板の上面を下方に向けて積み重ねられ、
上方の棚板の立ち上がり部の延出部が、下方の棚板の後端面または先端面に当接されていることを特徴とする棚板の積み重ね構造。
【請求項７】
請求項１〜４のいずれかに記載の棚板を上下に積み重ねてなる棚板の積み重ね構造であって、
上下の棚板は、下方の棚板の上面を上方に向け、上方の棚板の上面を下方に向けて積み重ねられ、
下方の棚板の立ち上がり部の延出部が、上方の棚板の先端面に当接され、
上方の棚板の立ち上がり部の延出部が、下方の棚板の先端面に当接されていることを特徴とする棚板の積み重ね構造。
【発明の詳細な説明】
【０００１】
【発明の属する技術分野】
本発明は、棚板及び棚板の積み重ね構造に関する。
【０００２】
【背景の技術】
従来の棚板は、特開平８−１００６２号公報に示されるように、中空矩形板状で合成樹脂にて一体に形成される棚板本体の後端縁に全長に亙る立ち上がり片が立設され、この立ち上がり片が収容され得る形状の凹段部が棚板本体の後端下角部分に形成されたものである。この棚板は、積み重ねた際に、下段の棚板の立ち上がり片が上段の棚板の凹段部内に収容されるので、下段の棚板の立ち上がり片と接触するのを避けるために上段の棚板を前方にずらす必要がなく、上段の棚板を下段の棚板にそってまっすぐに積み重ねられるものである。
【０００３】
【発明が解決しようとする課題】
しかし、立ち上がり片が棚板の後端部と面一に形成されていたため、棚板を前方にずらすことなく積み重ねるには、上述のように凹段部を形成しなければならなかった。また、立ち上がり片は高く形成した方が上段の棚板と下段の棚板との接触面積が大きくなって、積み重ねた際の安定性がよくなるが、立ち上がり片は凹段部に納まる大きさでしか形成できないため、立ち上がり片を高くするにも限界があった。
【０００４】
そこで、本発明の課題は、棚板に凹段部を形成する必要がなく、従来より立ち上がり片を高くできて、積み重ねた際の安定性に優れた棚板及び棚板の積み重ね構造を提供することである。
【０００５】
【課題を解決するための手段】
上記課題を解決するため、請求項１記載の発明は、例えば、図１に示すように、中空矩形板状に形成された棚板本体１と、この棚板本体１の上面後端縁部にこの上面後端縁部の全長に亙って形成された立ち上がり部２とを備え、収納家具に設置される棚板１０であって、前記立ち上がり部２は、前記棚板本体１の上面後端縁部から後方に張り出す張り出し部２１と、この張り出し部２１の先端から前記棚板本体１の上面と直交する方向に延出する延出部２２とを備えており、前記立ち上がり部２１の高さは、前記棚板本体１の厚さとほぼ等しくされており、前記延出部２２は前記棚板本体１の後端面から延出部２２の厚さだけ後方に位置していることを特徴とする。
【０００６】
請求項１記載の発明によれば、延出部２２は張り出し部２１によって棚板本体１の上面後端縁部から後方に位置しているため、積み重ねた際に、上方の棚板本体１の下面後端縁部と接触しない。よって、従来のように、下面後端縁部に立ち上がり部２との接触を避けるための凹段部を形成する必要がなくなる。
また、立ち上がり部２の高さは、棚板本体１の厚さとほぼ等しくされているので、棚板１０を積み重ねた際に下方の棚板１０の立ち上がり部２の延出部２２の先端と上方の棚板本体１の上面とがほぼ同じ高さ位置にくることになる。すなわち、本発明における棚板１０の立ち上がり部２は、従来の立ち上がり部２よりも高くすることができる。このように、立ち上がり部２を高くできるので、仮に、上方の棚板１０が振動によってずれようとすると、上方の棚板１０が下方の棚板１０の立ち上がり部２を押圧することになるが、上方の棚板１０が立ち上がり部２に接する面積が大きくなり、立ち上がり部２は上方の棚板１０を安定した状態で横から押さえることができる。よって、積み重ねた際の安定性に優れた棚板１０とすることができる。
また、延出部２２は棚板本体１の後端面から延出部２２の厚さだけ後方に位置しているため、積み重ねた際に、下方の棚板１０の延出部２２を上方の棚板本体１の後端面に当接させることで、上下の延出部２２が同一直線上に並ぶことになる。よって、棚板１０をずらすことなく積み重ねることができる。
【０００７】
請求項２記載の発明は、例えば、図１に示すように、請求項１記載の棚板１０において、前記棚板本体１の下面の先端縁部と後端縁部とには、前記収納家具の側板に設けられて、棚板本体１を支持する支持部４が挿入される溝部１１がそれぞれ棚板本体１の幅方向に沿って形成されていることを特徴とする。
【０００８】
請求項２記載の発明によれば、棚板本体１の下面の先端縁部と後端縁部とには、棚板本体１を支持する支持部４が挿入される溝部１１が形成されており、支持部４は溝部１１内で棚板本体１を支持するので、棚板本体１は前後に動くことがなく、棚板本体１を安定して支持できる。
【０００９】
請求項３記載の発明は、例えば、図１及び図２に示すように、請求項２記載の棚板１０において、前記溝部１１には、前記棚板本体１の下方に設けられる収納部３を係止する係止部１２が形成されていることを特徴とする。
【００１０】
請求項３記載の発明によれば、溝部１１には、係止部１２が形成されているため、この係止部１２に係止された収納部３を係止部１２から取り外した場合、係止部１２は棚板本体１から突出しない。よって、棚板１０を積み重ねる際においても、係止部１２は積み重ねの支障とならない。
【００１１】
請求項４記載の発明は、例えば、図２に示すように、請求項３記載の棚板１０において、前記収納部３は、物が収納される収納本体３１と、この収納本体３１を前記棚板本体１の前後方向に移動可能に案内する案内部３２とを備え、前記係止部１２は、前記案内部３２を係止することを特徴とする。
【００１２】
請求項４記載の発明によれば、収納部３に案内部３２を備えることにより、収納部３は、引き出しとして用いられる。その案内部３２は係止部１２によって係止されているため、案内部３２を取り付けるための機構を他に設ける必要がなく、棚板１０の構造を容易にすることができる。
【００１３】
請求項５記載の発明は、例えば、図３に示すように、請求項１〜４のいずれかに記載の棚板１０を上下に積み重ねてなる棚板１０の積み重ね構造Ａであって、上下の棚板１０は、それぞれの棚板１０の上面を上方に向けて積み重ねられ、下方の棚板１０の立ち上がり部２の延出部２２が、上方の棚板１０の後端面または先端面に当接されていることを特徴とする。
【００１４】
請求項５記載の発明によれば、上下の棚板１０は、それぞれの棚板１０の上面を上方に向けて積み重ねられ、下方の棚板１０の立ち上がり部２の延出部２２が、上方の棚板１０の後端面または先端面に当接されているので、上下の棚板１０の先端面及び後端面はほぼ面一となり、下方の棚板１０の立ち上がり部２の延出部２２の先端と上方の棚板本体１の上面とがほぼ同じ高さ位置にくることになる。よって、棚板１０をまっすぐに積み重ねることができるとともに、立ち上がり部２は上方の棚板１０を安定した状態で横から押さえることができるので、安定性に優れた棚板１０の積み重ね構造Ａとすることができる。
【００１５】
請求項６記載の発明は、例えば、図３に示すように、請求項１〜４のいずれかに記載の棚板１０を上下に積み重ねてなる棚板１０の積み重ね構造Ｂであって、上下の棚板１０は、それぞれの棚板１０の上面を下方に向けて積み重ねられ、上方の棚板１０の立ち上がり部２の延出部２２が、下方の棚板１０の後端面または先端面に当接されていることを特徴とする。
【００１６】
請求項６記載の発明によれば、上下の棚板１０は、それぞれの棚板１０の上面を下方に向けて積み重ねられ、上方の棚板１０の立ち上がり部２の延出部２２が、下方の棚板１０の後端面または先端面に当接されているので、上下の棚板１０の先端面及び後端面はほぼ面一となり、上方の棚板１０の立ち上がり部２の延出部２２の先端と下方の棚板本体１の上面とがほぼ同じ高さ位置にくることになる。よって、棚板１０をまっすぐに積み重ねることができるとともに、立ち上がり部２は上方の棚板１０を安定した状態で横から押さえることができるので、安定性に優れた棚板１０の積み重ね構造Ｂとすることができる。
【００１７】
請求項７記載の発明は、例えば、図３に示すように、請求項１〜４のいずれかに記載の棚板１０を上下に積み重ねてなる棚板１０の積み重ね構造Ｃであって、上下の棚板１０は、下方の棚板１０の上面を上方に向け、上方の棚板１０の上面を下方に向けて積み重ねられ、下方の棚板１０の立ち上がり部２の延出部２２が、上方の棚板１０の先端面に当接され、上方の棚板１０の立ち上がり部２の延出部２２が、下方の棚板１０の先端面に当接されていることを特徴とする。
【００１８】
請求項７記載の発明によれば、上下の棚板１０は、下方の棚板１０の上面を上方に向け、上方の棚板１０の上面を下方に向けて積み重ねられ、下方の棚板１０の立ち上がり部２の延出部２２が、上方の棚板１０の先端面に当接され、上方の棚板１０の立ち上がり部２の延出部２２が、下方の棚板１０の先端面に当接されているので、上下の棚板１０の先端面及び後端面はほぼ面一となり、下方の棚板１０の立ち上がり部２の延出部２２の先端と上方の棚板１０の上面とがほぼ同じ高さ位置にくることになる。また、上方の棚板１０の立ち上がり部２の延出部２２の先端と下方の棚板１０の下面とがほぼ同じ高さ位置にくることになる。よって、棚板１０をまっすぐに積み重ねることができるとともに、立ち上がり部２は上方の棚板１０を安定した状態で横から押さえることができるので、安定性に優れた棚板１０の積み重ね構造Ｃとすることができる。
【００１９】
【発明の実施の形態】
以下、図面を参照して本発明に係る実施の形態の棚板について詳細に説明する。
図１に示すように、棚板１０は、収納家具内に設置され、衣類や靴等を載置するものであり、棚板本体１、立ち上がり部２等を備えている。
【００２０】
棚板本体１は、押出成形によって一体に形成された合成樹脂製の部材である。棚板本体１は、互いに平行な上面部１３及び下面部１４と、その上面部１３及び下面部１４をその先端部分で連結する先端面部１５及びその後端部分で連結する後端面部１６と、上面部１３及び下面部１４を連結し、かつ、先端面部１５と後端面部１６間に間隙を有するように配置される複数の連結部１７とを備えている。
【００２１】
また、棚板１０を設置した場合に手前側に位置する部分であって、先端面部１５と上面部１３とで形成される角部には、後述する収納部３の出し入れの際に当該部分の摩耗を防止するための面取り部１８ａが一体に形成されている。また、棚板１０を設置した場合に奥側に位置する部分であって、後端面部１６と下面部１４とで形成される角部には、棚板１０を積み重ねた際に立ち上がり部２と接触しないように面取り部１８ｂが一体に形成されている。さらに、棚板１０を設置した場合に奥側に位置する部分であって、後端面部１６と上面部１３とで形成される角部には、棚板１０の設置後に、靴等の収納物の泥やゴミ等が溜まったり、下方に落下するのを防止するための立ち上がり部２が一体に形成されている。
【００２２】
また、先端面部１５に隣接する連結部１７からその連結部１７に隣接する他の連結部１７にかけて、下方を開口とした溝部１１が形成されている。さらに、後端面部１６に隣接する連結部１７からその連結部１７に隣接する他の連結部１７にかけて、下方を開口とした溝部１１が形成されている。両溝部１１は、収納家具の側板に設けられて、棚板本体１を支持するための後述する支持部４が挿入される部分であり、棚板本体１の幅方向に沿って形成されている。
【００２３】
また、溝部１１内の支持部４と干渉しない位置には、収納部３を係止するための係止部１２が形成されている。
係止部１２は、下面部１４と同一平面上、かつ、溝部１１内に少し突出するように形成されており、先端面部１５側の溝部１１に形成された係止部１２の端部は後端面部１６側に向けられ、後端面部１６側の溝部１１に形成された係止部１２の端部は先端面部１５側に向けられている。
【００２４】
立ち上がり部２は、棚板本体１の上面部１３の後端縁部に、この後端縁部の全長に亙って形成されており、棚板本体１の上面部１３の後端縁部から後方に張り出すように形成された張り出し部２１と、この張り出し部２１の先端から棚板本体１の上面部１３と直交する方向に延出する延出部２２とを備えている。
張り出し部２１は、側面から見た際に、面取り部１８ａとほぼ同じ傾斜（例えば４５°）となるように棚板本体１の上面部１３の後端縁部から立ち上がるように形成されている。また、延出部２２は、棚板本体１の上面部１３の後端縁部から延出部２２の厚さだけ後方に位置している。さらに、立ち上がり部２の高さは、棚板本体１の厚さとほぼ等しくされている。
【００２５】
図２に示すように、収納部３は、短靴、靴ブラシ、靴墨、乾燥材若しくは防虫剤等の小型収納物を収納するためのものであり、棚板本体１の下方に収納物を収納する空間を形成し、上面が開口された箱形状の収納本体３１と、収納本体３１を係止部１２に係止するとともに、収納本体３１を棚板本体１の前後方向に移動可能に案内する案内部３２とを備えている。
また、収納本体３１の側面には、案内部３２を取り付けるためのガイド溝３１ａが形成され、収納本体３１の側面の奥側の上端部には、収納本体３１が案内部３２から脱落するのを防止するストッパ３１ｂが形成されている。
案内部３２は、収納本体３１の奥行きとほぼ同じ長さの板材３２ａの上部の手前側と奥側とに形成された係止突起３２ｂと、板材３２ａの手前側の側面に形成されたガイド突起３２ｃとを備えている。なお、係止突起３２ｂの間隔は、棚板本体１の係止部１２間の距離とほぼ同じ長さとされている。
【００２６】
ストッパ３１ｂは、板材３２ａ上部の両係止突起３２ｂ間に引っ掛けられ、ガイド突起３２ｃはガイド溝３１ａにはめ込まれている。これにより、収納本体３１は、棚板本体１の前後方向に移動可能となり、ストッパ３１ｂが手前側及び奥側の係止突起３２ｂに接触することで収納本体３１が案内部３２から脱落するのを防止できる。また、手前側及び奥側の係止突起３２ｂは、それぞれ棚板本体１の手前側及び奥側の係止部１２に係止されており、棚板本体１の下方に収納部３が設けられることになる。
なお、収納部３は、小型収納物を収納する場合等、必要時においてのみ棚板本体１に係止して使用すればよく、不要な場合は棚板本体１だけで従来どおりの使用が可能である。
【００２７】
以上のように、棚板本体１のこれら係止部１２、上面部１３、下面部１４、先端面部１５、後端面部１６、連結部１７、立ち上がり部２等は、押出成形によって一体に形成されているものである。なお、棚板本体１の内部に複数の連結部１７を任意の間隔にて形成したのは、棚板本体１の長手方向の曲げ強度を上げるとともに、連結部１７どうしの間を中空部分として形成して合成樹脂材料の節約と重量の軽減とを図るためである。
【００２８】
なお、このように形成された棚板１０を収納家具の側板に設けるために、この側板における棚板１０の両小口面に対向する部分には、棚板１０を支持するための円柱状の支持部４を予め棚板１小口方向に突設させておく。すなわち、溝部１１は下方が開口となるように小口断面をコ字状に形成されており、かつ、その開口を下向きにされているので、その支持部４に溝部１１の開口を引っ掛けることによって棚板１０の設置場所に棚板１０を固定できるものである。なお、この支持部４は棚板１０の設置場所に突設され、棚板１０を設置した場合に、棚板１０のがたつきや、収納物を押し込んだ際に、収納物の押し込みに伴って棚板１０がずれるのを防止できるようになっている。
【００２９】
ここで、図３に示すように、棚板１０の積み重ね構造Ａ，Ｂ，Ｃについて説明する。
棚板１０の積み重ね構造Ａは、上下段ともに棚板１０の上面部１３を上方に向けて積み重ねられ、下段の棚板１０の上面部１３が上段の棚板１０の下面部１４に当接するとともに、下段の棚板１０の立ち上がり部２の延出部２２が、上段の棚板１０の後端面部１６に当接している。このとき、延出部２２は、棚板本体１の後端面部１６より延出部２２の厚さだけ後方に位置しているので、上段の延出部２２と下段の延出部２２とはほぼ面一となる。また、上下段の先端面部１５もほぼ面一となり、上段の棚板１０は、下段の棚板１０の真上に積み重ねることができる。
なお、積み重ね構造Ａにおいては、下段の棚板１０の立ち上がり部２の延出部２２が、上段の棚板１０の先端面部１５に当接する場合も包含し、その際も、上段の棚板１０は、下段の棚板１０の真上に積み重ねることができる。
【００３０】
また、棚板１０の積み重ね構造Ｂは、上下段ともに棚板１０の上面部１３を下方に向けて積み重ねられ、下段の棚板１０の下面部１４が上段の棚板１０の上面部１３に当接するとともに、上段の棚板１０の立ち上がり部２の延出部２２が、下段の棚板１０の後端面部１６に当接している。このとき、積み重ね構造Ａと同様、上段の延出部２２と下段の延出部２２とはほぼ面一となる。また、上下段の先端面部１５もほぼ面一となり、上段の棚板１０は、下段の棚板１０の真上に積み重ねることができる。
なお、積み重ね構造Ｂにおいては、上段の棚板１０の立ち上がり部２の延出部２２が、下段の棚板１０の先端面部１５に当接する場合も包含し、そのときも、上段の棚板１０は、下段の棚板１０の真上に積み重ねることができる。
【００３１】
また、棚板１０の積み重ね構造Ｃは、下段の棚板１０の上面部１３を上方に向け、上段の棚板１０の上面部１３を下方に向けて積み重ねられ、下段の棚板１０の上面部１３と上段の棚板１０の上面部１３とが当接するとともに、下段の棚板１０の立ち上がり部２の延出部２２が、上段の棚板１０の先端面部１５に当接し、上段の棚板１０の立ち上がり部２の延出部２２が、下段の棚板１０の先端面部１５に当接している。また、下段の棚板１０の延出部２２の先端と上段の棚板１０の下面部１４は同じ高さとなり、上段の棚板１０の延出部２２の先端と下段の棚板１０の下面部１４は同じ高さとなる。
【００３２】
以上のように、本実施の形態の棚板１０においては、延出部２２は張り出し部２１によって棚板本体１の上面部１３の後端縁部から後方に位置しているため、積み重ねた際に、上段の棚板本体１の下面部１４の後端縁部と接触しない。よって、従来のように、棚板本体１の下面部１４の後端縁部に立ち上がり部２との接触を避けるための凹段部を形成する必要がなくなる。また、立ち上がり部２の高さは、棚板本体１の厚さとほぼ等しくされているので、棚板１０を積み重ねた際に下段の棚板１０の立ち上がり部２の延出部２２の先端と上段の棚板本体１の上面とがほぼ同じ高さ位置にくることになる。このように、立ち上がり部２を高くできるので、仮に、上段の棚板１０が振動によってずれようとすると、上段の棚板１０が下段の棚板１０の立ち上がり部２を押圧することになるが、上段の棚板１０が立ち上がり部２に接する面積が大きくなり、立ち上がり部２は上段の棚板１０を安定した状態で横から押さえることができる。よって、積み重ねた際の安定性に優れた棚板１０とすることができる。
【００３３】
また、延出部２２は棚板本体１の後端面部１６から延出部２２の厚さだけ後方に位置しているため、積み重ねた際に、下段の棚板１０の延出部２２を上段の棚板本体１の後端面部１６に当接させることで、上下段の延出部２２が同一直線上に並ぶことになる。よって、棚板１０をずらすことなくまっすぐ上に積み重ねることができ、倉庫等に収納する際に最小限の場所を確保するだけでよい。また、下段の棚板１０の立ち上がり部２に上段の棚板１０の先端面部１５あるいは後端面部１６を当接させて載置するだけでよく、積み重ね作業が容易となる。
【００３４】
また、棚板本体１の下面の先端縁部と後端縁部とには、棚板本体１を支持する支持部４が挿入される溝部１１が形成されており、支持部４は溝部１１内で棚板本体１を支持するので、棚板本体１は前後に動くことがなく、棚板本体１を安定して支持できる。
さらに、溝部１１には、係止部１２が形成されているため、この係止部１２に係止された収納部３を係止部１２から取り外した場合、係止部１２は棚板本体１から突出しない。よって、棚板１０を積み重ねる際においても、係止部１２は積み重ねの支障とならない。また、収納部３に案内部３２を備えることにより、収納部３は、引き出しとして用いられる。また、その案内部３２は係止部１２によって係止されているため、案内部３２を取り付けるための機構を他に設ける必要がなく、棚板１０の構造を容易にできる。
【００３５】
また、棚板１０の積み重ね構造Ａ，Ｂ，Ｃのいずれにおいても、上下の棚板１０の先端面側及び後端面側はほぼ面一となり、立ち上がり部２の延出部２２の先端と棚板本体１の上面部１３または下面部１４とがほぼ同じ高さ位置にくることになる。よって、棚板１０をまっすぐに積み重ねることができるとともに、立ち上がり部２は上方の棚板１０を安定した状態で横から押さえることができるので、安定性に優れた棚板１０の積み重ね構造Ａ，Ｂ，Ｃとすることができる。なお、この３つの積み重ね構造Ａ，Ｂ，Ｃのなかでも積み重ね構造Ｃは、前後の重量のバランスもよく、上段の立ち上がり部２と下段の立ち上がり部２とが互いに反対方向のずれを防止する位置にあるため、最も耐震性に優れた積み重ね構造Ｃとなる。
【００３６】
なお、本発明に係る棚板の構造は、上記実施の形態に限定されるものではなく、発明の要旨を逸脱しない範囲で設計変更、改良、組み合わせ等がなされた構造を包含するものである。
【００３７】
【発明の効果】
請求項１記載の発明によれば、従来のように、下面後端縁部に立ち上がり部との接触を避けるための凹段部を形成する必要がなくなる。
また、従来に比べて安定性に優れた構造とすることができる。
また、棚板をまっすぐ上に積み重ねることができる。
【００３８】
請求項２記載の発明によれば、支持部４は溝部１１内で棚板本体１を支持するので、棚板本体１は前後に動くことがなく、棚板本体１を安定して支持できる。
【００３９】
請求項３記載の発明によれば、棚板を積み重ねる際においても、係止部は積み重ねの支障とならない。
【００４０】
請求項４記載の発明によれば、案内部は係止部によって係止されているため、案内部を取り付けるための機構を他に設ける必要がなく、棚板の構造を容易にできる。
【００４１】
請求項５記載の発明によれば、棚板をまっすぐに積み重ねることができるとともに、立ち上がり部は上方の棚板を安定した状態で横から押さえることができるので、安定性に優れた棚板の積み重ね構造とすることができる。
【００４２】
請求項６記載の発明によれば、棚板をまっすぐに積み重ねることができるとともに、立ち上がり部は上方の棚板を安定した状態で横から押さえることができるので、安定性に優れた棚板の積み重ね構造とすることができる。
【００４３】
請求項７記載の発明によれば、棚板をまっすぐに積み重ねることができるとともに、立ち上がり部は上方の棚板を安定した状態で横から押さえることができるので、安定性に優れた棚板の積み重ね構造とすることができる。
【図面の簡単な説明】
【図１】本発明の実施の形態の棚板を説明するための側面図である。
【図２】上記実施の形態の収納部を説明するための斜視図である。
【図３】上記実施の形態の棚板の積み重ね構造を説明するための側面図である。
【符号の説明】
１      棚板本体
２      立ち上がり部
３      収納部
４      支持部
１０    棚板
１１    溝部
１２    係止部
２１    張り出し部
２２    延出部
３１    収納本体
３２    案内部
【図１】
0003949984.tif 000002
【図２】
0003949984.tif 000003
【図３】
0003949984.tif 000004